(57)【要約】【課題】ネットワーク装置において通信の品質が劣化するのを事前に防止する。【解決手段】ネットワーク装置で予約されている単位時間あたりのパケットの数ならびに新たな通信で加わるパケットの数（上記のように算出した値またはメディア情報に記述された値）（符号ａ１〜ｅ１）を合計し（積み上げ）、合計が仮想パスつまりネットワーク装置で予約可能な単位時間あたりのパケットの数以下であるかを判定する。【選択図】図２
2012023425.tif 000002
【特許請求の範囲】
【請求項１】
ネットワーク装置を含む転送ネットワークのリソースを管理するリソース管理制御装置であって、
前記ネットワーク装置で予約可能なリソースの量を仮想パスとして記憶する手段と、
前記ネットワーク装置で予約されているリソースの量を記憶する手段と、
前記ネットワーク装置の予約に関する要求の内容と前記仮想パスと前記予約されているリソースの量とに基づいて、当該要求に応じるか否かを判定する手段と
を備えることを特徴とするリソース管理制御装置。
【請求項２】
前記ネットワーク装置で予約可能なポートの数、前記ネットワーク装置で予約可能な単位時間あたりのパケットの数、前記ネットワーク装置で予約可能なメディアの数のうちの１以上のそれぞれを前記仮想パスとすることを特徴とする請求項１記載のリソース管理制御装置。
【請求項３】
前記要求の内容は、当該要求が認められた際に前記ネットワーク装置を新たに流れるパケットのパケット化の周期を示すものであり、
前記ネットワーク装置で予約可能な単位時間あたりのパケットの数を少なくとも前記仮想パスとし、前記周期を基に前記新たに流れる単位時間あたりのパケットの数を求め、当該数と当該ネットワーク装置で予約可能な単位時間あたりのパケットの数と当該ネットワーク装置で予約されている単位時間あたりのパケットの数とに基づいて、前記要求に応じるか否かを判定する
ことを特徴とする請求項１記載のリソース管理制御装置。
【請求項４】
前記要求の内容は、当該要求が認められた際に新たに行われる通信の帯域を示すものであり、
前記ネットワーク装置で予約可能な単位時間あたりのパケットの数を少なくとも前記仮想パスとし、前記帯域を基に前記ネットワーク装置を新たに流れる単位時間あたりのパケットの数を求め、当該数と当該ネットワーク装置で予約可能な単位時間あたりのパケットの数と当該ネットワーク装置で予約されている単位時間あたりのパケットの数とに基づいて、前記要求に応じるか否かを判定する
ことを特徴とする請求項１記載のリソース管理制御装置。
【請求項５】
前記要求の内容は、当該要求が認められた際に前記ネットワーク装置で新たに予約されるメディアの数を示すものであり、
前記ネットワーク装置で予約可能なメディアの数を少なくとも前記仮想パスとし、前記メディアの数と当該ネットワーク装置で予約可能なメディアの数と当該ネットワーク装置で予約されているメディアの数とに基づいて、前記要求に応じるか否かを判定する
ことを特徴とする請求項１記載のリソース管理制御装置。
【請求項６】
ネットワーク装置を含む転送ネットワークのリソースを管理するリソース管理制御装置の動作方法であって、
前記リソース管理制御装置は、
前記ネットワーク装置で予約可能なリソースの量を仮想パスとして記憶する手段と、
前記ネットワーク装置で予約されているリソースの量を記憶する手段とを備え、
前記動作方法は、
前記リソース管理制御装置が、前記ネットワーク装置の予約に関する要求の内容と前記仮想パスと前記予約されているリソースの量とに基づいて、当該要求に応じるか否かを判定することを特徴とするリソース管理制御装置の動作方法。
【請求項７】
前記ネットワーク装置で予約可能なポートの数、前記ネットワーク装置で予約可能な単位時間あたりのパケットの数、前記ネットワーク装置で予約可能なメディアの数のうちの１以上のそれぞれを前記仮想パスとすることを特徴とする請求項６記載のリソース管理制御装置の動作方法。
【請求項８】
前記要求の内容は、当該要求が認められた際に前記ネットワーク装置を新たに流れるパケットのパケット化の周期を示すものであり、
前記ネットワーク装置で予約可能な単位時間あたりのパケットの数を少なくとも前記仮想パスとし、前記周期を基に前記新たに流れる単位時間あたりのパケットの数を求め、当該数と当該ネットワーク装置で予約可能な単位時間あたりのパケットの数と当該ネットワーク装置で予約されている単位時間あたりのパケットの数とに基づいて、前記要求に応じるか否かを判定する
ことを特徴とする請求項６記載のリソース管理制御装置の動作方法。
【請求項９】
前記要求の内容は、当該要求が認められた際に新たに行われる通信の帯域を示すものであり、
前記ネットワーク装置で予約可能な単位時間あたりのパケットの数を少なくとも前記仮想パスとし、前記帯域を基に前記ネットワーク装置を新たに流れる単位時間あたりのパケットの数を求め、当該数と当該ネットワーク装置で予約可能な単位時間あたりのパケットの数と当該ネットワーク装置で予約されている単位時間あたりのパケットの数とに基づいて、前記要求に応じるか否かを判定する
ことを特徴とする請求項６記載のリソース管理制御装置の動作方法。
【請求項１０】
前記要求の内容は、当該要求が認められた際に前記ネットワーク装置で新たに予約されるメディアの数を示すものであり、
前記ネットワーク装置で予約可能なメディアの数を少なくとも前記仮想パスとし、前記メディアの数と当該ネットワーク装置で予約可能なメディアの数と当該ネットワーク装置で予約されているメディアの数とに基づいて、前記要求に応じるか否かを判定する
ことを特徴とする請求項６記載のリソース管理制御装置の動作方法。
【発明の詳細な説明】
【技術分野】
【０００１】
本発明は、リソース管理制御装置およびその動作方法に関するものである。
【背景技術】
【０００２】
ＩＴＵ−Ｔ（国際電気通信連合  電気通信標準化部門；Ｉｎｔｅｒｎａｔｉｏｎａｌ  Ｔｅｌｅｃｏｍｍｕｎｉｃａｔｉｏｎ  Ｕｎｉｏｎ  −  Ｔｅｌｅｃｏｍｍｕｎｉｃａｔｉｏｎ  Ｓｔａｎｄａｒｄｉｚａｔｉｏｎ  Ｓｅｃｔｏｒ）やＴＴＣ（情報通信技術委員会）では、次世代ネットワーク（ＮＧＮ）の機能の標準化が進められている。その機能には、品質を確保した通信を提供するためのリソース管理方式に関するものが含まれる。
【０００３】
［ＮＧＮにおけるリソース管理の概要］
地上デジタル放送再送信、電話、Ｖｉｄｅｏ  Ｏｎ  Ｄｅｍａｎｄ（ＶＯＤ）といったさまざまなサービスに対して、ネットワーク上で通信品質を保証するために、ＮＧＮではＳｅｓｓｉｏｎ  Ｉｎｉｔｉａｔｉｏｎ  Ｐｒｏｔｏｃｏｌ（以下、ＳＩＰという）セッション制御による帯域制御が可能である。
【０００４】
図３に示すように、ＮＧＮの転送ネットワーク２は、光ファイバやそれらを宅内まで分配するための伝送装置で構成されるアクセスネットワークと、大容量のルータで構成されるコアネットワークを含む。
【０００５】
宅内の端末３やルータからなるユーザネットワークは、Ｈｏｍｅ  Ｇａｔｅｗａｙ  装置（以下、ＨＧＷ装置という）４およびアクセスネットワークを介して、Ｃｏｒｅ  Ｂｏｒｄｅｒ  Ｇａｔｅｗａｙ  Ｆｕｎｃｔｉｏｎ  装置（以下、ＣＢＧＦ装置という）２１  に収容される。ＣＢＧＦ装置２１は、Ｒｅｓｏｕｒｃｅ  ａｎｄ  Ａｄｍｉｓｓｉｏｎ  Ｃｏｎｔｒｏｌ  Ｓｕｂｓｙｓｔｅｍ  装置（以下、リソース管理制御装置という）１Ａによって制御される。Ｃａｌｌ  Ｓｅｓｓｉｏｎ  Ｃｏｎｔｒｏｌ  Ｆｕｎｃｔｉｏｎ  装置（以下、ＣＳＣＦ装置という）５は、ＳＩＰによるセッション制御を行うものであり、リソース管理制御装置１Ａに対してメディア情報を通知する。加入者情報管理装置（Ｎｅｔｗｏｒｋ  Ａｔｔａｃｈｍｅｎｔ  Ｓｕｂｓｙｓｔｅｍ）６は、ＤＨＣＰ  （Ｄｙｎａｍｉｃ  Ｈｏｓｔ  Ｃｏｎｆｉｇｕｒａｔｉｏｎ  Ｐｒｏｔｏｃｏｌ）によりＩＰアドレスの払い出しや認証等を行うものであり、加入者情報管理装置６は、ＣＳＣＦ装置５とリソース管理制御装置１Ａに対して加入者情報を通知する。ＮＧＮでは、これらの装置が、ＳＩＰセッションによる要求ごとに連携して処理を行うことにより、ＱｏＳ（ある特定の通信のための帯域を予約し、一定の通信速度を保証する技術）などのＮＧＮ特有の機能を実現する。
【先行技術文献】
【特許文献】
【０００６】
【特許文献１】特願２００５−４００２４号公報
【非特許文献】
【０００７】
【非特許文献１】宮坂昌宏，  堀米紀貴，  岸田好司，  ”ＮＧＮにおける帯域管理制御技術”，ＮＴＴ技術ジャーナル，  ｖｏｌ．２０，  Ｎｏ．１０，  ｐｐ．２２−２３，  Ｏｃｔ  ２００８
【非特許文献２】鎌谷  修，  川上健太，  山本  晋，  “次世代ネットワークにおける品質制御機能の標準化動向”  ，    ＮＴＴ技術ジャーナル，  ｖｏｌ．２０，  Ｎｏ．１０，  ｐｐ．４４−４７，  Ｏｃｔ  ２００８
【発明の概要】
【発明が解決しようとする課題】
【０００８】
ＩＰネットワークにおける従来の帯域管理技術としては、図３においては、リソース管理制御装置１Ａが、転送ネットワーク２の物理的な構成をもとに、ネットワーク装置間の上限帯域を仮想パスとして抽象化する対象とし、ＳＩＰによるセッション確立時に要求された帯域を、この仮想パス上に確保できるか、受付判定する技術が挙げられる（特許文献１、非特許文献１）。
【０００９】
ＩＰネットワークにおいて品質を確保した通信を提供する場合、ＳＩＰによるセッション確立を行う際に、ＳＤＰ  （Ｓｅｓｓｉｏｎ  Ｄｅｓｃｒｉｐｔｉｏｎ  Ｐｒｏｔｏｃｏｌ）にて要求された通信帯域が、アクセスネットワークで確保可能か受付判定する技術が必要となる。
【００１０】
図３では、ＣＳＣＦ装置５は、セッション確立要求メッセージ（ＩＮＶＩＴＥ）を受け取ると、メッセージに格納されているＳＤＰ情報内のメディア情報から、要求された帯域や品質クラスを判定し、メディアのアドレス、ポート情報とともにリソース管理制御装置１Ａに通知する。リソース管理制御装置１Ａは、コンフィグ情報として備えたアクセスネットワーク構成のデータから、当該ユーザの通信が使用する通信経路を特定し、通信経路上に設定された仮想パスにおいて、通信に必要な帯域が確保できるかを判定する。全ての仮想パスで帯域が確保できた場合は、セッション確立要求を受け入れるとともに、その帯域を予約状態とする。
【００１１】
しかしながら、ネットワーク装置（ルータ等）においては、単位時間に転送可能なパケット転送能力に制限があり、ネットワーク装置のパケット転送能力を超えるトラヒックが流入した場合、ネットワーク装置間の帯域が確保可能であっても通信品質が保証されない場合がある。すなわち、帯域制御だけで受付判定する場合には、通信中の品質劣化を生じる虞がある。また、ネットワーク装置のポート数にも制約があり、また、同時に接続可能なメディア数に制限もある。したがって、リソース管理制御装置にて受付判定を行う際は、これらパケット転送能力や最大メディア数すなわちリソースの量も考慮するよう、技術の拡大が必要である。
【００１２】
本発明は、上記の課題に鑑みてなされたものであり、その目的とするところは、ネットワーク装置で予約されるリソースの量がネットワーク装置で予約可能なリソースの量より大きくなるのを防止できるリソース管理制御装置およびその動作方法を提供することにある。
【課題を解決するための手段】
【００１３】
上記の課題を解決するために、第１の本発明は、ネットワーク装置を含む転送ネットワークのリソースを管理するリソース管理制御装置であって、前記ネットワーク装置で予約可能なリソースの量を仮想パスとして記憶する手段と、前記ネットワーク装置で予約されているリソースの量を記憶する手段と、前記ネットワーク装置の予約に関する要求の内容と前記仮想パスと前記予約されているリソースの量とに基づいて、当該要求に応じるか否かを判定する手段とを備える。
【００１４】
第２の本発明は、ネットワーク装置を含む転送ネットワークのリソースを管理するリソース管理制御装置の動作方法であって、前記リソース管理制御装置は、前記ネットワーク装置で予約可能なリソースの量を仮想パスとして記憶する手段と、前記ネットワーク装置で予約されているリソースの量を記憶する手段とを備え、前記動作方法は、前記リソース管理制御装置が、前記ネットワーク装置の予約に関する要求の内容と前記仮想パスと前記予約されているリソースの量とに基づいて、当該要求に応じるか否かを判定する。
【発明の効果】
【００１５】
本発明によれば、ネットワーク装置で予約されるリソースの量がネットワーク装置で予約可能なリソースの量より大きくなるのを防止でき、ネットワーク装置において通信の品質が劣化するのを事前に防止し、通信の品質を向上させることができる。
【図面の簡単な説明】
【００１６】
【図１】本実施の形態に係るリソース管理制御装置を含む通信システムの構成図である。
【図２】図１のリソース管理制御装置が行う判定について示す模式図である。
【図３】ＮＧＮ（次世代ネットワーク）におけるリソース管理の概要を示す図である。
【発明を実施するための形態】
【００１７】
以下、本発明の実施の形態について図面を参照して説明する。
【００１８】
図１は、本実施の形態に係るリソース管理制御装置を含む通信システムの構成図である。
【００１９】
Ｒｅｓｏｕｒｃｅ  ａｎｄ  Ａｄｍｉｓｓｉｏｎ  Ｃｏｎｔｒｏｌ  Ｓｕｂｓｙｓｔｅｍ  装置（以下、リソース管理制御装置という）１は、ＮＧＮ（次世代ネットワーク）の転送ネットワーク２に備わったリソースを管理するための装置であり、転送ネットワーク２に対して通信可能となっている。図示しないが、転送ネットワーク２は、光ファイバやそれらを宅内まで分配するための伝送装置で構成されるアクセスネットワークと、大容量のルータで構成されるコアネットワークからなる。ここでは、転送ネットワーク２は、Ｃｏｒｅ  Ｂｏｒｄｅｒ  Ｇａｔｅｗａｙ  Ｆｕｎｃｔｉｏｎ  装置（以下、ＣＢＧＦ装置という）２１を備える。転送ネットワーク２は、上記伝送装置やルータなどのネットワーク装置（以下、単にネットワーク装置という）とネットワーク装置を接続する物理リンク（以下、パスという）とをそれぞれ複数備える。
【００２０】
宅内の端末３やルータ（図示せず）からなるユーザネットワークは、Ｈｏｍｅ  Ｇａｔｅｗａｙ  装置（以下、ＨＧＷ装置という）４およびアクセスネットワーク（図示せず）を介して、ＣＢＧＦ装置２１に収容される。
【００２１】
リソース管理制御装置１は、Ｓｅｓｓｉｏｎ  Ｉｎｉｔｉａｔｉｏｎ  Ｐｒｏｔｏｃｏｌによるセッション制御を行うＣａｌｌ  Ｓｅｓｓｉｏｎ  Ｃｏｎｔｒｏｌ  Ｆｕｎｃｔｉｏｎ  装置（以下、ＣＳＣＦ装置という）５と、加入者情報管理装置（Ｎｅｔｗｏｒｋ  Ａｔｔａｃｈｍｅｎｔ  Ｓｕｂｓｙｓｔｅｍ）６とに対して、通信可能となっている。リソース管理制御装置１とＣＳＣＦ装置５は、加入者情報管理装置６から通知された加入者情報を記憶している。加入者情報管理装置６は、ＤＨＣＰ  （Ｄｙｎａｍｉｃ  Ｈｏｓｔ  Ｃｏｎｆｉｇｕｒａｔｉｏｎ  Ｐｒｏｔｏｃｏｌ）  によりＩＰアドレスの払い出しや認証等を行う。
【００２２】
加入者情報は、ＩＰアドレスやアクセスラインの帯域の上限などを含んでいる。さらに、リソース管理制御装置１には、ネットワーク装置（ルータ等）の物理構成や各パスの上限帯域がコンフィグとして設定されている。つまり、リソース管理制御装置１は、各パスで予約可能な帯域（上限帯域）を仮想パスとして記憶している。
【００２３】
また、リソース管理制御装置１は、各パスで予約されている帯域を記憶している。
【００２４】
また、リソース管理制御装置１は、各ネットワーク装置で予約可能なリソースの量を仮想パスとして記憶している。具体的には、リソース管理制御装置１は、各ネットワーク装置で予約可能なポートの数、各ネットワーク装置で予約可能な単位時間あたりのパケットの数、各ネットワーク装置で予約可能なメディアの数を仮想パスとして記憶している。
【００２５】
また、リソース管理制御装置１は、各ネットワーク装置で予約されているリソースの量を記憶している。具体的には、リソース管理制御装置１は、各ネットワーク装置で予約されているポートの数、各ネットワーク装置で予約されている単位時間あたりのパケットの数、各ネットワーク装置で予約されているメディアの数を記憶している。
【００２６】
（本実施の形態の動作）
宅内の端末３から発信があるとＨＧＷ装置４経由でＣＳＣＦ装置５にセッション確立要求メッセージＩＮＶＩＴＥが伝達される。
【００２７】
ＣＳＣＦ装置５はセッション確立要求メッセージＩＮＶＩＴＥ内のメディア情報をリソース管理制御装置１に送信する。
【００２８】
つまり、セッション確立要求メッセージＩＮＶＩＴＥは、これから確立する通信内容の交渉を行うために利用されるＳＤＰ（Ｓｅｓｓｉｏｎ  Ｄｅｓｃｒｉｐｔｉｏｎ  Ｐｒｏｔｏｃｏｌ）情報を含み、ＳＤＰ情報には、メディアの種別（音声、映像等）、コーデックの種別、通信に利用されるＩＰアドレスやポート番号、帯域などのメディア情報が記述されている。ＣＳＣＦ装置５は、かかるメディア情報をリソース管理制御装置１に送信する。
【００２９】
図２に示すように、リソース管理制御装置１は、まず、各パスに関し、以下の判定を行う。
【００３０】
リソース管理制御装置１は、パスで予約されている帯域ならびにメディア情報に記述された帯域（これから使おうとする帯域）（図では符号ａ〜ｅ）を合計し（積み上げ）、合計が仮想パスつまりパスで予約可能な帯域以下であるかを判定する。
【００３１】
ここで、少なくとも１つのパスにおいて合計が仮想パスより大きいなら、リソース管理制御装置１は、ＣＳＣＦ装置５にセッション確立要求メッセージＩＮＶＩＴＥを受け付けられない旨（ＮＧ）を通知し、ＣＳＣＦ装置５は、ＨＧＷ装置４に同様の通知を行う。
【００３２】
一方、全パスにおいて合計が仮想パス以下なら、リソース管理制御装置１は、各ネットワーク装置に関し、以下の判定を行う。
【００３３】
リソース管理制御装置１は、ネットワーク装置で予約されているポートの数ならびに
メディア情報に記述されたポートの数（これから使おうとするポートの数）（図では符号ａ１〜ｅ１）を合計し（積み上げ）、合計が仮想パスつまりネットワーク装置で予約可能なポートの数以下であるかを判定する。
【００３４】
ここで、少なくとも１つのネットワーク装置において合計が仮想パスより大きいなら、リソース管理制御装置１は、ＣＳＣＦ装置５にセッション確立要求メッセージＩＮＶＩＴＥを受け付けられない旨（ＮＧ）を通知し、ＣＳＣＦ装置５は、ＨＧＷ装置４に同様の通知を行う。
【００３５】
一方、全ネットワーク装置において合計が仮想パス以下なら、図２に示すように、リソース管理制御装置１は、各ネットワーク装置に関し、以下の判定を行う。
【００３６】
例えば、メディア情報が、これから行おうとする通信で各ネットワーク装置を新たに流れるパケットのパケット化の周期を示すものなら、リソース管理制御装置１は、かかる周期を基に当該これから行おうとする通信において単位時間あたりに流れるパケットの数を求める。具体的には、音声通信の場合、例えば、周期はメディア情報のａ＝ｐｔｉｍｅ行（パケット化周期）において２０ｍｓｅｃと記述され、この場合、１秒（単位時間）あたりに流れるパケットの数＝１［パケット］÷０．０２［ｓｅｃ］＝５０［パケット／ｓｅｃ］と算出できる。
【００３７】
例えば、メディア情報が、これから行おうとする通信の帯域を示すものなら、リソース管理制御装置１は、かかる帯域を基に当該これから行おうとする通信において単位時間あたりにネットワーク装置に流れるパケットの数を求める。具体的には、映像通信やデータ通信の場合、例えば、帯域はｂ行において１０００ｋｂｐｓ（１２５０００ｂｙｔｅ／ｓｅｃ）と記述され、リソース管理制御装置１は、予め記憶した一般的なパケット長の最大長を基に、これから行おうとする通信のパケット長を１５００［ｂｙｔｅ／パケット］と定め、かかる通信における１秒あたりに流れるパケットの数＝１２５０００［ｂｙｔｅ／ｓｅｃ］÷１５００［ｂｙｔｅ／パケット］＝８３．３［パケット／ｓｅｃ］と算出できる。
【００３８】
なお、リソース管理制御装置１は、単位時間あたりに流れるパケットの数がメディア情報に既に記述されているなら、当該パケットの数を以下の判定で使用することもできる。
【００３９】
リソース管理制御装置１は、ネットワーク装置で予約されている単位時間あたりのパケットの数ならびに新たに予約される（上記のように算出した値またはメディア情報に記述された値）（図では符号ａ２〜ｅ２）を合計し（積み上げ）、合計が仮想パスつまりネットワーク装置で予約可能な単位時間あたりのパケットの数以下であるかを判定する。
【００４０】
ここで、少なくとも１つのネットワーク装置において合計が仮想パスより大きいなら、リソース管理制御装置１は、ＣＳＣＦ装置５にセッション確立要求メッセージＩＮＶＩＴＥを受け付けられない旨（ＮＧ）を通知し、ＣＳＣＦ装置５は、ＨＧＷ装置４に同様の通知を行う。
【００４１】
一方、全ネットワーク装置において合計が仮想パス以下なら、図２に示すように、リソース管理制御装置１は、各ネットワーク装置に関し、以下の判定を行う。
【００４２】
リソース管理制御装置１は、ネットワーク装置で予約されているメディアの数ならびにメディア情報に記述されたメディアの数（これから使おうとするメディアの数）（図では符号ａ３〜ｅ３）を合計し（積み上げ）、合計が仮想パスつまりネットワーク装置で予約可能なメディアの数以下であるかを判定する。例えば、メディア情報におけるメディアの数は、メディア情報におけるｍｅｄｉａ  ｄｅｓｃｒｉｐｔｉｏｎの数を合計することで算出できる。
【００４３】
ここで、少なくとも１つのパスにおいて合計が仮想パスより大きいなら、リソース管理制御装置１は、ＣＳＣＦ装置５にセッション確立要求メッセージＩＮＶＩＴＥを受け付けられない旨（ＮＧ）を通知し、ＣＳＣＦ装置５は、ＨＧＷ装置４に同様の通知を行う。
【００４４】
一方、全パスにおいて合計が仮想パス以下なら、リソース管理制御装置１は、ＣＳＣＦ装置５を制御し、つまり、セッション確立要求メッセージＩＮＶＩＴＥの要求を受け入れ、通信を実行させる。また、リソース管理制御装置１は、積み上げて計算したリソースの量を予約されているリソースの量として記憶する。
【００４５】
また、リソース管理制御装置１は、要求された通信の必要がなくなったら、その通信について予約されているリソースの量を減算し、減算後のリソースの量を、予約されているリソースの量として記憶する。
【００４６】
なお、本実施の形態では、ネットワーク装置で予約可能なポートの数、ネットワーク装置で予約可能な単位時間あたりのパケットの数、ネットワーク装置で予約可能なメディアの数をそれぞれを仮想パスとしたが、これらの少なくとも１つ以上を仮想パスとしてもよい。
【００４７】
したがって、本実施の形態によれば、リソース管理制御装置１は、帯域判定だけでなく、つまりパスで予約される帯域がパスで予約可能な帯域以下であるかを判定するだけでなく、ネットワーク装置で予約可能なリソースの量を仮想パスとして記憶する機能（手段）と、ネットワーク装置で予約されているリソースの量を記憶する機能（手段）と、ネットワーク装置の予約に関する要求の内容と前記仮想パスと前記予約されているリソースの量とに基づいて、当該要求に応じるか否かを判定する機能（手段）とを備えるので、ネットワーク装置で予約されるリソースの量がネットワーク装置で予約可能なリソースの量より大きいなら要求を拒否すればよく、よって、この要求を実行してしまい、ネットワーク装置において通信の品質が劣化するのを事前に防止し、通信の品質を向上させることができる。
【００４８】
また、ネットワーク装置で予約可能なポートの数、ネットワーク装置で予約可能な単位時間あたりのパケットの数、ネットワーク装置で予約可能なメディアの数のうちの１以上のそれぞれを仮想パスとすることで、かかる種類のリソースの量がネットワーク装置で予約可能なリソースの量より大きくなるのを防止し、通信の品質を向上させることができる。
【００４９】
また、要求の内容は、当該要求が認められた際にネットワーク装置を新たに流れるパケットのパケット化の周期を示すものであり、リソース管理制御装置１は、ネットワーク装置で予約可能な単位時間あたりのパケットの数を少なくとも仮想パスとし、周期を基にネットワーク装置を新たに流れる単位時間あたりのパケットの数を求め、当該数と当該ネットワーク装置で予約可能な単位時間あたりのパケットの数と当該ネットワーク装置で予約されている単位時間あたりのパケットの数とに基づいて、要求に応じるか否かを判定するので、要求の内容は、単位時間あたりのパケットの数を直接含むものでなくてもよい。
【００５０】
また、要求の内容は、当該要求が認められた際に新たに行われる通信の帯域を示すものであり、リソース管理制御装置１は、ネットワーク装置で予約可能な単位時間あたりのパケットの数を少なくとも仮想パスとし、帯域を基にネットワーク装置を新たに流れる単位時間あたりのパケットの数を求め、当該数と当該ネットワーク装置で予約可能な単位時間あたりのパケットの数と当該ネットワーク装置で予約されている単位時間あたりのパケットの数とに基づいて、要求に応じるか否かを判定するので、要求の内容は、単位時間あたりのパケットの数を直接含むものでなくてもよい。
【００５１】
また、要求の内容は、当該要求が認められた際にネットワーク装置で新たに予約されるメディアの数を示すものであり、リソース管理制御装置１は、ネットワーク装置で予約可能なメディアの数を少なくとも仮想パスとし、メディアの数と当該ネットワーク装置で予約可能なメディアの数と当該ネットワーク装置で予約されているメディアの数とに基づいて、要求に応じるか否かを判定するので、かかるメディアの数がネットワーク装置で予約可能なメディアの数より多くなるのを防止し、通信の品質を向上させることができる。
【００５２】
なお、本実施の形態に係るリソース管理制御装置１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００５３】
１…リソース管理制御装置
２…転送ネットワーク
３…端末
４…ＨＧＷ装置
５…ＣＳＣＦ装置
６…加入者情報管理装置
【図１】
2012023425.tif 000003
【図２】
2012023425.tif 000004
【図３】
2012023425.tif 000005